(57)【要約】【課題】記録媒体に加わる光照射部から熱を抑制する液滴吐出装置を提供する。【解決手段】光の照射により硬化する液状体を液滴として記録媒体６に吐出する液滴吐出ヘッド部１０と、記録媒体６に吐出された液滴に光を照射する光照射部３０ａ，３０ｂと、をキャリッジに備える液滴吐出装置において、光照射部３０ａ，３０ｂの下方に気体を流動させるノズル部２０ａ，２０ｂをキャリッジに有する。このため、ノズル部２０ａ，２０ｂから光照射部３０ａ，３０ｂの下方に向けて気体を吹き出すことで、光照射部３０ａ，３０ｂと記録媒体６の間において光照射部３０ａ，３０ｂから発生する熱で暖められた気体を流動させることができる。【選択図】図３
2011194710.tif 000002
【特許請求の範囲】
【請求項１】
光の照射により硬化する液状体を液滴として記録媒体に吐出する液滴吐出ヘッド部と、前記記録媒体に吐出された液滴に光を照射する光照射部と、をキャリッジに備える液滴吐出装置であって、
前記液滴吐出ヘッド部と前記光照射部との間に配置され、かつ前記光照射部の下方に気体を流動させるノズル部を前記キャリッジに有することを特徴とする液滴吐出装置。
【請求項２】
請求項１に記載の液滴吐出装置において、
前記ノズル部が断熱部材で形成されていることを特徴とする液滴吐出装置。
【請求項３】
請求項１または２に記載の液滴吐出装置において、
前記ノズル部から流出され前記光照射部の下方を通った気体を排気する排気部を有することを特徴とする液滴吐出装置。
【請求項４】
請求項１乃至３のいずれか一項に記載の液滴吐出装置において、
前記ノズル部は前記光照射部の長手方向の長さよりも長く形成されていることを特徴とする液滴吐出装置。
【請求項５】
請求項１乃至４のいずれか一項に記載の液滴吐出装置において、
前記ノズル部の気体が流出する気体流出口は前記液滴吐出ヘッド部の端部より上方に位置することを特徴とする液滴吐出装置。
【請求項６】
請求項１乃至５のいずれか一項に記載の液滴吐出装置において、
フィルム状の前記記録媒体をロール・ツー・ロール方式で搬送する搬送部を有することを特徴とする液滴吐出装置。
【請求項７】
光の照射により硬化する液状体を液滴として記録媒体に吐出する液滴吐出ヘッド部と、前記記録媒体に吐出された液滴に光を照射する光照射部と、をキャリッジに備える液滴吐出装置であって、
前記液滴吐出ヘッド部とは逆方向で、かつ前記光照射部の下方に気体を流動させるノズル部を前記キャリッジに有することを特徴とする液滴吐出装置。
【発明の詳細な説明】
【技術分野】
【０００１】
本発明は、紫外線硬化型インクを用いる液滴吐出装置に関する。
【背景技術】
【０００２】
液滴吐出装置において、紫外線硬化型インク（以下、ＵＶインクと呼ぶ）を用い樹脂フィルムなどの記録媒体に画像を描画する装置が知られている。
この装置では紫外線に対して重合開始剤が含まれたＵＶインクを用い、記録媒体に着弾した液滴に紫外線を照射することでＵＶインクを硬化させて、記録媒体に定着させる。記録媒体に着弾したＵＶインクは、紫外線が照射されるまでに時間がかかると液滴の拡大、にじみなどの現象が発生するため、液滴の着弾から紫外線の照射までの時間は短いことが好ましい。
このため、記録媒体に着弾した液滴に対して直ぐに紫外線の照射が可能となるように、キャリッジに液滴吐出ヘッドとその横に紫外線光源を設けた液滴吐出装置が考えられている。
【０００３】
キャリッジに液滴吐出ヘッドと紫外線光源を設けた液滴吐出装置では、紫外線光源の熱で記録媒体が暖められ、記録媒体が伸びて液滴の着弾位置にずれが生じ、描画品位が低下する問題がある。
これに対し、例えば特許文献１では、記録媒体を平面状に保持するプラテンに温度調節手段を設けて記録媒体の温度を調整する技術が開示されている。
【先行技術文献】
【特許文献】
【０００４】
【特許文献１】特開２００４−１０６５２５号公報
【発明の概要】
【発明が解決しようとする課題】
【０００５】
しかしながら、特許文献１のような液滴吐出装置では、記録媒体の温度調節が記録媒体の裏面と接触するプラテンを介して行われるため、記録媒体の表面と裏面とで温度差が生じ、記録媒体に歪が生ずるおそれがある。また、熱容量の大きい記録媒体では、温度を一定温度に保つために時間がかかるという問題がある。さらに、凹凸のある記録媒体の場合にはプラテンに接触しない部分が存在し、温度の制御が利かないことがある。
このように、記録媒体の裏面側から温度調整を行う方式では、記録媒体の表面側にある紫外線光源に起因する熱の影響を解消するには限界がある。
【課題を解決するための手段】
【０００６】
本発明は上記課題の少なくとも一部を解決するためになされたものであり、以下の形態または適用例として実現することが可能である。
【０００７】
［適用例１］本適用例にかかる液滴吐出装置は、光の照射により硬化する液状体を液滴として記録媒体に吐出する液滴吐出ヘッド部と、前記記録媒体に吐出された液滴に光を照射する光照射部と、をキャリッジに備える液滴吐出装置であって、前記液滴吐出ヘッド部と前記光照射部との間に配置され、かつ前記光照射部の下方に気体を流動させるノズル部を前記キャリッジに有することを特徴とする。
【０００８】
この構成によれば、キャリッジに液滴吐出ヘッド部と光照射部を備える液滴吐出装置において、光照射部の下方に気体を流動させるノズル部を有している。
液滴吐出ヘッド部から記録媒体に吐出された液滴に光照射部から光が照射されて、液滴の硬化が行われる。このとき、ノズル部から光照射部の下方に向けて気体を吹き出すことで、光照射部と記録媒体の間において光照射部から発生する熱で暖められた気体を流動させる。
このことから、光照射部に起因する記録媒体の温度上昇を抑制でき、記録媒体が伸びることがない。そして、記録媒体への液滴の着弾ずれがなくなり描画品位の高い液滴吐出装置を提供できる。
【０００９】
［適用例２］上記適用例にかかる液滴吐出装置において、前記ノズル部が断熱部材で形成されていることが望ましい。
【００１０】
この構成によれば、液滴吐出ヘッド部と光照射部との間に断熱部材で形成されたノズル部が設けられている。
このことから、光照射部で発生した熱はノズル部で断熱され、液滴吐出ヘッド部の温度に影響を与えず、液滴吐出ヘッド部からの安定した液滴吐出が可能である。
また、液滴吐出ヘッド部と、ノズル部と、光照射部とを近接して配置できることから、コンパクトなユニットを構成できる。
【００１１】
［適用例３］上記適用例にかかる液滴吐出装置において、前記ノズル部から流出され前記光照射部の下方を通った気体を排気する排気部を有することが望ましい。
【００１２】
この構成によれば、ノズル部から流出され光照射部の下方を通った気体を排気する排気部を有している。
このことから、光照射部により暖められた気体を排気部で排出することができるため、装置内に熱がこもることがなく、記録媒体および装置内環境温度の上昇を抑制することができる。
また、排気部にて光照射部近くに発生する液滴のミストやＵＶインク硬化時に発生するガスなどを排気することができるので、光照射部の表面にこれらのミスト、ガスなどが付着せず、光量の低下を防止できる。
【００１３】
［適用例４］上記適用例にかかる液滴吐出装置において、前記ノズル部は前記光照射部の長手方向の長さよりも長く形成されていることが望ましい。
【００１４】
この構成によれば、ノズル部は光照射部の長手方向の長さよりも長く形成されている。
このことから、光照射部の長さより長いノズル部から気体を吹き出して気体を流動させることで、確実に光照射部からの熱を抑制することができる。
【００１５】
［適用例５］上記適用例にかかる液滴吐出装置において、前記ノズル部の気体が流出する気体流出口は前記液滴吐出ヘッド部の端部より上方に位置することが望ましい。
【００１６】
この構成によれば、ノズル部の気体が流出する気体流出口は液滴吐出ヘッド部の端部より上方に位置する。
このように、ノズル部の気体流出口が液滴吐出ヘッド部の端部より上方にあるため、液滴吐出ヘッド部付近の気流に影響を与えることがなく、液滴吐出ヘッド部の温度を低下させることがない。
【００１７】
［適用例６］上記適用例にかかる液滴吐出装置において、フィルム状の前記記録媒体をロール・ツー・ロール方式で搬送する搬送部を有することが望ましい。
【００１８】
この構成によれば、フィルム状の記録媒体をロール・ツー・ロール方式で搬送する搬送部を有している。
このようにすれば、フィルム状の記録媒体を効率よく搬送できることから、効率よく記録媒体に液滴を塗布することができ、かつ描画品位の高い液滴吐出装置を提供できる。
【００１９】
［適用例７］本適用例にかかる液滴吐出装置は、光の照射により硬化する液状体を液滴として記録媒体に吐出する液滴吐出ヘッド部と、前記記録媒体に吐出された液滴に光を照射する光照射部と、をキャリッジに備える液滴吐出装置であって、前記液滴吐出ヘッド部とは逆方向で、かつ前記光照射部の下方に気体を流動させるノズル部を前記キャリッジに有することを特徴とする。
【００２０】
この構成によれば、キャリッジに液滴吐出ヘッド部と光照射部を備える液滴吐出装置において、液滴吐出ヘッド部とは逆方向で、かつ光照射部の下方に気体を流動させるノズル部を有している。
液滴吐出ヘッド部から記録媒体に吐出された液滴に光照射部から光が照射されて、液滴の硬化が行われる。このとき、ノズル部から光照射部の下方に向けて気体を吹き出すことで、光照射部と記録媒体の間において光照射部から発生する熱で暖められた気体を流動させる。
このことから、光照射部に起因する記録媒体の温度上昇を抑制でき、記録媒体が伸びることがない。そして、記録媒体への液滴の着弾ずれがなくなり描画品位の高い液滴吐出装置を提供できる。
【図面の簡単な説明】
【００２１】
【図１】第１の実施形態の液滴吐出装置の概略構成を示す模式図。
【図２】第１の実施形態における液滴吐出ユニットの構成を示す概略平面図。
【図３】第１の実施形態における液滴吐出ユニットの構成を示す概略断面図。
【図４】第１の実施形態の液滴吐出ヘッドの構成を示す概略斜視図。
【図５】第１の実施形態の液滴吐出ユニットの動作を示す模式図。
【図６】変形例の液滴吐出ユニットの構成を示す概略部分断面図。
【発明を実施するための形態】
【００２２】
以下、本発明を具体化した実施形態について図面に従って説明する。なお、以下の説明に用いる各図面では、各部材を認識可能な大きさとするため、各部材の寸法の割合を適宜変更している。
（第１の実施形態）
【００２３】
本実施形態ではインクジェット法を用いた液滴吐出装置を一例として説明する。なお、説明を明確にするために図面に直交座標系を表示する。
図１は本実施形態の液滴吐出装置の概略構成を示す模式図である。
液滴吐出装置１は、搬送される記録媒体６にＵＶインクを吐出し、紫外線を照射しながら記録媒体６に所定の画像を描画する装置である。
液滴吐出装置１は記録媒体６を搬送する搬送部５０と、記録媒体６を支持する平板状のプラテン５６と、キャリッジ４０に取り付けられ液滴吐出ヘッドを有する液滴吐出ユニット１００と、キャリッジ４０を往復運動させる往復機構（図示せず）と、を備えている。
【００２４】
搬送部５０は、モーターなどの駆動源に接続された搬送ローラー５３，５４を備えている。この搬送ローラー５３，５４は同じ高さに配置されている。
また、搬送部５０には長尺のフィルム状の記録媒体６を供給するために記録媒体６が巻かれる給材ローラー５１と、所定のＵＶインクの塗布、硬化が行われた記録媒体６を除材する除材ローラー５２と、が設けられている。これらの給材ローラー５１および除材ローラー５２にはモーターなどの駆動源が接続され、搬送ローラー５３，５４の回転と同期がとられて動くように構成されている。詳しくは、各ローラーは後述するキャリッジ４０の動作に合わせて所定量の回転と停止を繰り返し、記録媒体６を間欠的に送り出す。
【００２５】
そして、搬送の上流側から下流側に給材ローラー５１、搬送ローラー５３、搬送ローラー５４、除材ローラー５２の順に配置し、記録媒体６をそれぞれのローラーに架けることでフィルム状の記録媒体６が搬送される。
図１では、給材ローラー５１に巻かれた記録媒体６はＺ方向に引き出され、搬送ローラー５３で方向を転換されてＸ方向に搬送される。そして記録媒体６は、搬送ローラー５４までの間、略水平に搬送され、その後−Ｚ方向に方向を変換し除材ローラー５２に巻き取られていく。
このような、給材側のローラーから除材側のローラーに搬送される搬送方式は一般にロール・ツウ・ロール方式と呼ばれ、フィルム状の記録媒体６を効率よく搬送できる。
【００２６】
記録媒体６が略水平に搬送される搬送ローラー５３と搬送ローラー５４との間にはプラテン５６が配置されている。プラテン５６には小さな吸着穴が多数設けられ、吸着穴を通して真空引きされて記録媒体６を吸着保持することができる。そして、記録媒体６はプラテン５６に吸着された状態で搬送方向（Ｘ方向）に沿って搬送される。
【００２７】
プラテン５６の上方（Ｚ方向）にはＵＶインクを液滴として吐出する液滴吐出ヘッドを有する液滴吐出ユニット１００が配置されている。この液滴吐出ユニット１００はキャリッジ４０に取り付けられている。
キャリッジ４０はＹ方向に往復移動する直動機構（図示せず）に取り付けられ、キャリッジ４０の移動により液滴吐出ヘッドがプラテン５６に吸着された記録媒体６の上方で移動が可能である。
このように、液滴吐出ヘッドは記録媒体６の搬送方向と直交する方向に移動が可能であり、液滴吐出ヘッドから液滴を吐出して記録媒体６に描画が可能である。
【００２８】
なお、ＵＶインクとして例えばカチオン重合性成分を含むカチオン硬化型のものが採用され、紫外線を照射すると硬化する性質を持っている。
本実施形態に用いられる液状体（インク）は、紫外線の照射により硬化するＵＶインクであるが、必ずしもこれには限定されず、紫外線以外の光の照射により硬化するものであってもよい。ここでいう「光」とは、広義の光であって、紫外線、電子線、Ｘ線、可視光線、赤外線等の電磁波を含むものである。
また、フィルム状の記録媒体６として、ＰＥＴ（ポリエチレンテレフタレート）フィルム、ポリカーボネートフィルムなどが用いられる。
【００２９】
次に、液滴吐出ユニットについて詳しく説明する。
図２は本実施形態における液滴吐出ユニットの構成を示す概略平面図である。図３は本実施形態における液滴吐出ユニットの構成を示す概略断面図である。図４は液滴吐出ヘッドの構成を示す概略斜視図である。
液滴吐出ユニット１００は、Ｙ方向に往復運動可能なキャリッジ４０に取り付けられ、液滴吐出ヘッド部１０と、ノズル部２０ａ，２０ｂと、光照射部３０ａ，３０ｂと、を有している。
【００３０】
液滴吐出ヘッド部１０には記録媒体６の大きさに対応して複数の液滴吐出ヘッド１０ａが配置されている。
液滴吐出ヘッド１０ａは、図４に示すように、ノズルプレート１６に複数のノズル１５を備え、それぞれのノズル１５の開口に連通する圧力室１３、圧力室１３の一壁面を構成する振動板１２、振動板１２を変形させるＰＺＴなどの圧電素子１１、各圧力室１３にインクなどの液状体を送り込む共通インク室１４を有している。
【００３１】
振動板１２は、弾性変形可能な薄板から構成され、圧電素子１１の先端に当接している。このような構成により、圧電素子１１が収縮して、振動板１２が上方に撓んで圧力室１３が膨張すると、共通インク室１４の液状体が圧力室１３に流れ込む。所定時間の経過後に、圧電素子１１が伸長して、振動板１２が元に戻って圧力室１３が収縮すると、圧力室１３の液状体が圧縮されて、ノズル１５の開口から液滴が吐出する。このとき、液滴吐出ヘッド１０ａに形成されている多数のノズル１５のうち、いずれから液滴を吐出するかによって記録媒体に所定の文字、マークや画像などの描画が可能である。
【００３２】
次に図２，３に示すように、液滴吐出ヘッド部１０の両側には、ノズル部２０ａ，２０ｂが液滴吐出ヘッド部１０に接して配置され、ノズル部２０ａ，２０ｂの横にはそれぞれ光照射部３０ａ，３０ｂが接して設けられている。このように、ノズル部２０ａ，２０ｂおよび光照射部３０ａ，３０ｂは、液滴吐出ヘッド部１０に対して、Ｙ方向に並んで設けられている。
【００３３】
ノズル部２０ａ，２０ｂはセラミックスなどの断熱材で中空状に形成されている。ノズル部２０ａ，２０ｂには上方（Ｚ方向）に開放された矩形の気体流入口２１と、その下方でＹ方向に開放された矩形の気体流出口２２を有している。それぞれの気体流出口２２は液滴吐出ヘッド部１０とは逆方向となる方向に開放されている。
このように、ノズル部２０ａ，２０ｂは直方体の箱の上方の一面と側面の一部を切り欠いた形状となっている。
ここで、ノズル部２０ａ，２０ｂが液滴吐出ヘッド部１０に接して配置されているが、ノズル部２０ａと液滴吐出ヘッド部１０との間、あるいは、ノズル部２０ｂと液滴吐出ヘッド部１０との間に、スペース或いは他の部材を配置してもよい。ノズル部２０ａと液滴吐出ヘッド部１０との間、あるいは、ノズル部２０ｂと液滴吐出ヘッド部１０との間に配置する他の部材としては、例えば、断熱材やカバー部材であってもよい。
【００３４】
気体流入口２１には、図示しないが、気体供給管が接続され圧縮空気などの気体が気体流入口２１から気体流出口２２へ流動され、気体が光照射部３０ａ，３０ｂの下方に流れるように構成されている。
なお、本実施形態では気体流出口２２から気体はＹ方向（水平方向）に流動されるが、気体流出口２２の形状を変えて、光照射部３０ａ，３０ｂの下方を通って記録媒体６側へ斜めに気体を流動させても良い。
【００３５】
ノズル部２０ａ，２０ｂの横には光照射部３０ａ，３０ｂが接して配置されている。
光照射部３０ａ，３０ｂは、紫外線を発生させる紫外線光源３１と、紫外線を反射させるリフレクター３２と、漏洩する紫外線を遮蔽する遮蔽板３３と、を備えている。
紫外線光源３１は、記録媒体６に吐出されたＵＶインクの液滴に対して紫外線を照射できるように、下方（−Ｚ方向）に向けて配置されている。なお、紫外線光源３１としては、メタルハライドランプ、キセノンランプ、カーボンアーク灯、ケミカルランプ、低圧水銀ランプ、高圧水銀ランプ、などが用いられる。
【００３６】
また、リフレクター３２を用いて、紫外線光源３１の上方に照射される紫外線を反射させて効率よく紫外線を下方に照射できるように構成されている。
紫外線光源３１は点灯することで発熱するが、断熱材で形成されたノズル部２０ａ，２０ｂが間にあるため、液滴吐出ヘッド部１０には熱が伝わりにくく、液滴吐出ヘッド１０ａからの安定した液滴吐出が可能である。
【００３７】
そして、光照射部３０ａ，３０ｂの長手方向の長さよりもノズル部２０ａ，２０ｂの気体流出口２２の長さが長く形成され、確実に光照射部３０ａ，３０ｂの下方に気体を流動させることができる。
また、ノズル部２０ａ，２０ｂの気体流出口２２は液滴吐出ヘッド１０ａの端面より上方に位置しており、液滴吐出ヘッド部１０付近の気流に影響を与えることがなく、液滴吐出ヘッド１０ａの温度を低下させることがない。
【００３８】
さらに、液滴吐出装置には、ノズル部２０ａ，２０ｂから排出された気体を排気する排気部４５ａ，４５ｂが設けられている。
排気部４５ａ，４５ｂは、液滴吐出ヘッド部１０、ノズル部２０ａ，２０ｂ、光照射部３０ａ，３０ｂの並びの延長線上に配置されている。この排気部４５ａ，４５ｂには減圧ポンプなどが接続されている。
【００３９】
次に、上記の構成の液滴吐出ユニットの動作について説明する。
図５は本実施形態の液滴吐出ユニットの動作を示す模式図である。
液滴吐出装置の稼動により記録媒体６に液滴吐出ユニット１００から液滴が吐出される。
図５（ａ）に示すように、キャリッジの動きに従い液滴吐出ユニット１００がＹ方向に動いて液滴５を記録媒体６に吐出する。
このとき、進行方向に対して液滴吐出ヘッド部１０より後ろ側にある光照射部３０ａの紫外線光源３１が点灯し、記録媒体６に吐出されたＵＶインクの液滴５に紫外線を照射する。また、同時にノズル部２０ａから光照射部３０ａの下方に気体が吹きつけられる。気体の吹きつける方向は液滴吐出ヘッド部１０とは逆方向であり液滴吐出ヘッド１０ａの液滴吐出には影響を与えない。
そして、光照射部３０ａの下方を通った気体は排気部４５ａに吸い込まれる。またこのとき、ＵＶインクのミストやＵＶインクの硬化時に発生するガスなども排気部４５ａに吸引される。
【００４０】
次に、図５（ｂ）に示すように、キャリッジの動きに従い液滴吐出ユニット１００が−Ｙ方向に動いて液滴５を記録媒体６に吐出する。
このとき、進行方向に対して液滴吐出ヘッド部１０より後ろ側にある光照射部３０ｂの紫外線光源３１が点灯し、記録媒体６に吐出されたＵＶインクの液滴５に紫外線を照射する。また、同時にノズル部２０ｂから光照射部３０ｂの下方に気体が吹きつけられる。気体の吹きつける方向は液滴吐出ヘッド部１０とは逆方向であり液滴吐出ヘッド１０ａの液滴吐出には影響を与えない。
そして、光照射部３０ｂの下方を通った気体は排気部４５ｂに吸い込まれる。またこのとき、ＵＶインクのミストやＵＶインクの硬化時に発生するガスなども排気部４５ｂに吸引される。
【００４１】
このように、記録媒体６に吐出されたＵＶインクの液滴５は、順次、紫外線光源３１から照射される紫外線により硬化される。また、光照射部３０ａ，３０ｂの下方にノズル部２０ａ，２０ｂから気体が吹きつけられる。
紫外線光源３１が点灯することにより発生する熱は、紫外線光源３１と記録媒体６の間で対流して暖められており、暖められた空気をこの気体の流動により押し出すことができる。
【００４２】
なお、ノズル部２０ａ，２０ｂから流動する気体は常温であっても、常温よりも低い温度の気体であっても良い。
また、本実施形態ではキャリッジ４０の往復に対してそれぞれ液滴を吐出するために液滴吐出ヘッド部１０の両側にノズル部２０ａ，２０ｂと、光照射部３０ａ，３０ｂを設けたが、片道での液滴吐出であれば、片側にノズル部と光照射部を設ければよい。
【００４３】
以上のように、本実施形態の液滴吐出装置１は記録媒体６に吐出された液滴５に光照射部３０ａ，３０ｂから光を照射して、液滴５の硬化が行われる。このとき、ノズル部２０ａ，２０ｂから光照射部３０ａ，３０ｂの下方に向けて気体を吹き出すことで、光照射部３０ａ，３０ｂと記録媒体６の間で暖められた気体を流動させることができる。
このことから、光照射部３０ａ，３０ｂに起因する記録媒体６の温度上昇を抑制でき、記録媒体６が伸びることがない。そして、記録媒体６への液滴５の着弾ずれがなくなり描画品位の高い液滴吐出装置１を提供できる。
【００４４】
また、液滴吐出ヘッド部１０と光照射部３０ａ，３０ｂとの間のノズル部２０ａ，２０ｂは断熱部材で形成されているため、光照射部３０ａ，３０ｂで発生した熱はノズル部２０ａ，２０ｂで断熱され、液滴吐出ヘッド部１０の温度に影響を与えず、液滴吐出ヘッド１０ａからの安定した液滴吐出が可能である。
また、液滴吐出ヘッド部１０と、ノズル部２０ａ，２０ｂと、光照射部３０ａ，３０ｂとを近接して配置できることから、コンパクトな液滴吐出ユニット１００を構成できる。
【００４５】
さらに、光照射部により暖められた気体を排気部で排出することができるため、装置内に熱がこもることがなく、記録媒体の温度上昇を抑制することができる。
また、排気部４５ａ，４５ｂにて光照射部３０ａ，３０ｂ近くに発生する液滴５のミストやＵＶインク硬化時に発生するガスなどを排気することができるので、光照射部３０ａ，３０ｂの紫外線光源３１の表面にこれらのミスト、ガスなどが付着せず、光量の低下を防止できる。
（変形例）
【００４６】
次に上記の実施形態の変形例について説明する。
図６は変形例の液滴吐出ユニットの構成を示す概略部分断面図である。
本変形例では光照射部の構成が第１の実施形態とは異なる。このため、第１の実施形態と同様な構成については、同符号を付し説明を省略する。
【００４７】
光照射部３０ａ，３０ｂは、紫外線を発生させる紫外線光源３１と、紫外線を反射させるリフレクター３２と、漏洩する紫外線を遮蔽する遮蔽板３３と、赤外線の透過を防止する赤外カットフィルター３４と、を備えている。
赤外カットフィルター３４は紫外線光源３１の下方（−Ｚ方向）に設けられ、光照射部３０ａ，３０ｂから発生する赤外線を透過させないように構成されている。
このことから、光照射部３０ａ，３０ｂから記録媒体６へ輻射される熱をカットすることができる。
【００４８】
また、第１の実施形態と同様に、光照射部３０ａ，３０ｂの下方に気体を流動させるノズル部２０ａ，２０ｂが設けられている。そして、記録媒体６に吐出された液滴５の硬化が行われるとき、ノズル部２０ａ，２０ｂから光照射部３０ａ，３０ｂの下方に向けて気体を吹き出すことができる。
このように本変形例は、ノズル部２０ａ，２０ｂから光照射部３０ａ，３０ｂの下方に向けて気体を吹き出すことで、光照射部３０ａ，３０ｂと記録媒体６の間で暖められた気体を流動させることができる。さらに、赤外カットフィルター３４により光照射部３０ａ，３０ｂから記録媒体６へ輻射される熱をカットすることができ、記録媒体６の温度上昇を抑制できる。
【符号の説明】
【００４９】
１…液滴吐出装置、５…液滴、６…記録媒体、１０…液滴吐出ヘッド部、１０ａ…液滴吐出ヘッド、１１…圧電素子、１２…振動板、１３…圧力室、１４…共通インク室、１５…ノズル、１６…ノズルプレート、２０ａ，２０ｂ…ノズル部、２１…気体流入口、２２…気体流出口、３０ａ，３０ｂ…光照射部、３１…紫外線光源、３２…リフレクター、３３…遮蔽板、３４…赤外カットフィルター、４０…キャリッジ、４５ａ，４５ｂ…排気部、５０…搬送部、５１…給材ローラー、５２…除材ローラー、５３，５４…搬送ローラー、５６…プラテン、１００…液滴吐出ユニット。
【図１】
2011194710.tif 000003
【図２】
2011194710.tif 000004
【図３】
2011194710.tif 000005
【図４】
2011194710.tif 000006
【図５】
2011194710.tif 000007
【図６】
2011194710.tif 000008